(57)【要約】【課題】演色性の低下の影響を抑えつつ植物に対する光害の発生を低減可能な照明装置を提供する。【解決手段】照明装置１は、植物に対する光害が発生し難い波長域の第１の光を放射する第１の光源部２０と第２の光を放射する第２の光源部３０と光の放射と放射の停止とを制御する制御部４１とを備えている。制御部４１は、第２の時間帯ｔ１〜ｔ４に第２の光を放射させ、第１の時間帯ｔ２〜ｔ３に第１の光を放射させ第２の光の放射を停止させる。よって、制御部４１は、１日のうちで照明が必要とされる時間帯に、第２の光を放射させることができ、照明が必要とされる時間帯のうちで照明の必要性が低い時間帯に、第１の光のみを放射させることができる。よって、従来の照明器具に比べて、人が第１の光のみが放射された状況に遭遇し難く、演色性の低下の影響を低減しつつ植物に対する光害の発生を低減できる。【選択図】図２
2017091691.tif 000002
【特許請求の範囲】
【請求項１】
植物に対する光害が発生し難い波長域の第１の光を放射する第１の光源部と、前記第１の光の前記波長域よりも広範囲の波長域の光を含む第２の光を放射する第２の光源部と、前記第１の光及び前記第２の光の放射と放射の停止とを制御する制御部と、を備え、
前記制御部は、１日のうちで照明が必要とされる時間帯としての第２の時間帯に前記第２の光を放射させ、前記第２の時間帯のうちで照明の必要性が低い時間帯としての第１の時間帯に前記第１の光を放射させて前記第２の光の放射を停止させることを特徴とする照明装置。
【請求項２】
検知範囲において人の存在を検知する人感センサを備え、
前記制御部は、前記第１の時間帯に前記人感センサが人の存在を検知した場合に、前記第１の光の放射を停止させると共に前記第２の光を放射させ、前記第１の時間帯に前記人感センサが人の存在を検知した後に、前記人感センサが人の存在を検知しなくなった場合に、前記第１の光を放射させて前記第２の光の放射を停止させることを特徴とする請求項１記載の照明装置。
【請求項３】
前記第１の光源部は、前記第２の光源部に比べて光量が少なくなるように構成されかつ前記第２の光源部の周りに配置されたことを特徴とする請求項１又は請求項２記載の照明装置。
【請求項４】
前記第１の光源部は、前記第１の光を発光する第１の発光素子を有し、前記第２の光源部は、前記第１の発光素子と、前記第１の光と混色された場合に前記第２の光になる第３の光を発光する１種類又は複数種類の第２の発光素子とを有することを特徴とする請求項１乃至請求項３のいずれか１項に記載の照明装置。
【発明の詳細な説明】
【技術分野】
【０００１】
本発明は、照明装置に関し、より詳細には道路灯等の屋外照明に用いられる照明装置に関する。
【背景技術】
【０００２】
従来、植物に対する光害の発生を低減可能な照明器具が提案されている。例えば、引用文献１には、植物の花芽形成への影響が問題になる時期（例えば、稲の場合６月〜８月）に、白色光源よりも植物の花芽形成への影響が少ない緑色光源を点灯し、それ以外の時期に白色光源を点灯する照明器具が記載されている。
【先行技術文献】
【特許文献】
【０００３】
【特許文献１】特開２００４−１２１２１７号公報
【発明の概要】
【発明が解決しようとする課題】
【０００４】
しかし、引用文献１に記載されたものでは、白色光源に比較して演色性の低い緑色光源が長期間（稲の場合、２〜３ヶ月）に渡って点灯されている。つまり、特許文献１記載の照明器具では、本来の照明（道路照明等）に必要な演色性が得られない期間が長く続いてしまうという問題がある。
【０００５】
本発明は上記問題点に鑑みてなされており、演色性の低下の影響を抑えつつ植物に対する光害の発生を低減可能な照明装置を提供することを目的とする。
【課題を解決するための手段】
【０００６】
本発明の照明装置は、植物に対する光害が発生し難い波長域の第１の光を放射する第１の光源部と、前記第１の光の前記波長域よりも広範囲の波長域の光を含む第２の光を放射する第２の光源部と、前記第１の光及び前記第２の光の放射と放射の停止とを制御する制御部と、を備え、前記制御部は、１日のうちで照明が必要とされる時間帯としての第２の時間帯に前記第２の光を放射させ、前記第２の時間帯のうちで照明の必要性が低い時間帯としての第１の時間帯に前記第１の光を放射させて前記第２の光の放射を停止させることを特徴とする。
【発明の効果】
【０００７】
本発明によれば、演色性の低下の影響を抑えつつ植物に対する光害の発生を低減可能な照明装置を提供することができる。
【図面の簡単な説明】
【０００８】
【図１】本発明の実施形態１に係る照明装置のブロック図である。
【図２】本発明の実施形態１に係る照明装置の動作を説明するためのタイムチャートであって、図２Ａは第１の光源部の動作を説明するためのタイムチャートであり、図２Ｂは第２の光源部の動作を説明するためのタイムチャートである。
【図３】図３Ａは本発明の実施形態１に係る照明装置の外観斜視図、図３Ｂは変形例１の外観斜視図、図３Ｃは変形例２の外観斜視図である。
【図４】図４Ａは変形例３の外観斜視図、図４Ｂは変形例４の外観斜視図である。
【図５】本発明の実施形態２に係る照明装置のブロック図である。
【図６】本発明の実施形態２に係る照明装置の動作を説明するためのタイムチャートであって、図６Ａは第１の光源部の動作を説明するためのタイムチャートであり、図６Ｂは第２の光源部の動作を説明するためのタイムチャートである。
【図７】本発明の実施形態３に係る照明装置のブロック図である。
【図８】本発明の実施形態３に係る照明装置の動作を説明するためのタイムチャートであって、図８Ａは第１の光源部の動作を説明するためのタイムチャートであり、図８Ｂは第２の光源部の動作を説明するためのタイムチャートである。
【図９】図９Ａは本発明の実施形態３に係る照明装置の外観斜視図、図９Ｂは変形例１の外観斜視図、図９Ｃは変形例２の外観斜視図である。
【発明を実施するための形態】
【０００９】
以下、本発明の実施形態に係る照明装置について、図面を参照して詳細に説明する。
【００１０】
なお、以下の実施形態で説明する構成は本発明の一例に過ぎない。本発明は、以下の実施形態に限定されず、本発明に係る技術思想を逸脱しない範囲であれば、設計等に応じて種々の変更が可能である。
（実施形態１）
本発明の実施形態１に係る照明装置（以下、実施形態１に係る照明装置１という）は、図１に示すように植物に対する光害が発生し難い波長域の第１の光を放射する第１の光源部２０を有する。第１の光源部２０は、例えば多数の発光ダイオードが電気的に直列に接続されて構成されることが好ましい。また、第１の光源部２０を構成する発光ダイオードは、第１の光として、例えば波長域５００〜５５０ｎｍの範囲でピークを有する発光スペクトルの光を放射する緑色の発光ダイオードで構成されることが好ましい。
【００１１】
また、照明装置１は、第１の光の波長域よりも広範囲の波長域の光を含む第２の光を放射する第２の光源部３０を有する。第２の光源部３０は、例えば多数の発光ダイオードが電気的に直列に接続されて構成されている。ただし、第２の光源部３０を構成する発光ダイオードの数は、第１の光源部２０を構成する発光ダイオードの数よりも多いことが好ましい。また、第２の光源部３０は、第２の光として、例えば色温度が５０００Ｋ（第２色温度）の光（昼白色の光）を放射する昼白色の発光ダイオードで構成されることが好ましい。なお、実施形態１に係る照明装置１では、第１の光源部２０及び第２の光源部３０として、発光ダイオードを用いた構成を例示したが、これに限定されず、例えば蛍光灯や、有機ＥＬ（Electro Luminescence）素子を用いた構成にしてもよい。また、第２の光として昼白色の光を例示したがこれに限定されず、例えば照明用に一般に用いられている昼光色、白色、温白色及び電球色等の色温度の光にしてもよい。
【００１２】
また、実施形態１に係る照明装置１は、制御部４１を有する。制御部４１は、交流電源４０より供給される交流電力を所望の電圧値の直流電力に変換し、変換した直流電力を第１の光源部２０と第２の光源部３０とに供給する。
【００１３】
制御部４１は、図１に示すように交流直流変換部４２、第１のコンバータ回路４３、第２のコンバータ回路４４及びコントローラ４５を有する。
【００１４】
交流直流変換部４２は、交流電源４０から入力される交流電圧Ｖ０を所望の直流電圧Ｖ１に変換する。なお、交流直流変換部４２は、力率改善回路で構成されることが望ましい。
【００１５】
第１のコンバータ回路４３は、第１の光源部２０に電力を供給する。また、第１のコンバータ回路４３は、電界効果トランジスタからなる第１のスイッチング素子を有する降圧チョッパ回路で構成されている。なお、降圧チョッパ回路の動作は従来周知であるので、その説明は省略する。
【００１６】
第２のコンバータ回路４４は、第２の光源部３０に電力を供給する。また、第２のコンバータ回路４４は、電界効果トランジスタからなる第２のスイッチング素子を有する、第１のコンバータ回路４３と同様の降圧チョッパ回路で構成されている。
【００１７】
コントローラ４５は、タイマ４６と、第１のコンバータ回路４３及び第２のコンバータ回路４４の駆動及び駆動の停止を制御する制御回路４７とを有する。なお、制御回路４７は、マイクロコントローラ（以下、マイコンと略す）で構成されている。
【００１８】
タイマ４６は、リアルタイムクロックＩＣ（Integrated Circuit）で構成されており、現在時刻をカウントする。
【００１９】
制御回路４７は、タイムスケジュールに従って、各コンバータ回路４３，４４の駆動及び駆動の停止を制御するスケジュール制御を行う。また、制御回路４７を構成しているマイコンには、タイムスケジュールが登録されるメモリが内蔵されている。
【００２０】
各コンバータ回路４３，４４のスケジュール制御では、各コンバータ回路４３，４４の駆動及び駆動の停止と、各コンバータ回路４３，４４を駆動させる時刻及び駆動を停止させる時刻との組み合わせがタイムスケジュールとしてメモリに登録されている。
【００２１】
タイムスケジュールによれば、１日のうちで照明が必要とされる時間帯としての第２の時間帯ｔ１〜ｔ４のうちで照明の必要性が低い時間帯としての第１の時間帯ｔ２〜ｔ３に、制御回路４７は、第１のコンバータ回路４３を駆動する。また、タイムスケジュールによれば、第１の時間帯ｔ２〜ｔ３以外の時間帯に、制御回路４７は、第１のコンバータ回路４３の駆動を停止する。タイムスケジュールによれば、第２の時間帯ｔ１〜ｔ４のうちで第１の時間帯ｔ２〜ｔ３以外の時間帯としての第３の時間帯ｔ１〜ｔ２，ｔ３〜ｔ４に、制御回路４７は、第２のコンバータ回路４４を駆動する。また、タイムスケジュールによれば、第３の時間帯ｔ１〜ｔ２，ｔ３〜ｔ４以外の時間帯に、制御回路４７は、第２のコンバータ回路４４の駆動を停止する。
【００２２】
なお、実施形態１に係る照明装置１では、第２の時間帯ｔ１〜ｔ４として、例えば人通りが多い時間帯（例えば当日１７時から翌日０時までの時間帯）が想定されている。また、実施形態１に係る照明装置１では、第１の時間帯ｔ２〜ｔ３として、例えば人通りが少ない深夜の時間帯（例えば翌日０時から翌日４時までの時間帯）が想定されている。
【００２３】
次に、図２を参照にして実施形態１に係る照明装置の動作を説明する。
【００２４】
制御回路４７は、タイマ４６がカウントする現在時刻を取得して、現在時刻を特定する。そして、制御回路４７は、タイマ４６から取得した現在時刻と、タイムスケジュールの各時刻ｔ１〜ｔ４とが一致すると、タイムスケジュールに従って、各コンバータ回路４３，４４の駆動や駆動の停止を制御する。
【００２５】
制御回路４７は、図２に示すように１日のうちで照明が必要とされていない時間帯（例えば日中の時間帯）に、第１のコンバータ回路４３と第２のコンバータ回路４４との駆動を停止する。駆動を停止された第１のコンバータ回路４３及び第２のコンバータ回路４４が、第１の光源部２０及び第２の光源部３０への電力の供給を停止する。電力の供給が停止された第１の光源部２０及び第２の光源部３０が消灯して、第１の光の放射及び第２の光の放射を停止する。
【００２６】
また、制御回路４７は、現在時刻と第２の時間帯ｔ１〜ｔ４の開始時刻ｔ１（例えば当日１７時）とが一致した場合に、第２のコンバータ回路４４を駆動する。駆動された第２のコンバータ回路４４が、第２の光源部３０に電力を供給し、電力が供給された第２の光源部３０が点灯して、第２の光を放射する。
【００２７】
また、制御回路４７は、現在時刻と第１の時間帯ｔ２〜ｔ３の開始時刻ｔ２（例えば翌日０時）とが一致した場合に、第１のコンバータ回路４３を駆動する。駆動された第１のコンバータ回路４３が、第１の光源部２０に電力を供給し、電力を供給された第１の光源部２０が点灯して、第１の光を放射する。また、制御回路４７は、現在時刻と第１の時間帯ｔ２〜ｔ３の開始時刻ｔ２とが一致した場合に、第２のコンバータ回路４４の駆動を停止する。駆動を停止された第２のコンバータ回路４４が、第２の光源部３０への電力の供給を停止し、電力の供給が停止された第２の光源部３０が消灯して、第２の光の放射を停止する。
【００２８】
制御回路４７は、現在時刻と第１の時間帯ｔ２〜ｔ３の終了時刻ｔ３（例えば翌日４時）とが一致した場合に、第１のコンバータ回路４３の駆動を停止する。駆動を停止された第１のコンバータ回路４３が、第１の光源部２０への電力の供給を停止し、電力の供給が停止された第１の光源部２０が消灯して、第１の光の放射を停止する。制御回路４７は、現在時刻と第１の時間帯ｔ２〜ｔ３の終了時刻ｔ３とが一致した場合に、第２のコンバータ回路４４を駆動する。駆動された第２のコンバータ回路４４が、第２の光源部３０に電力を供給し、電力が供給された第２の光源部３０が点灯して、第２の光を放射する。
【００２９】
制御回路４７は、現在時刻と第２の時間帯ｔ１〜ｔ４の終了時刻ｔ４（例えば翌日６時）とが一致した場合に、第２のコンバータ回路４４の駆動を停止する。駆動を停止された第２のコンバータ回路４４が、第２の光源部３０への電力の供給を停止し、電力の供給が停止された第２の光源部３０が消灯して、第２の光の放射を停止する。よって、各光源部２０，３０が第１の光の放射及び第２の光の放射を停止する。
【００３０】
ここで、従来の照明器具では、植物の花芽形成への影響が問題になる時期に、白色光源が消灯されて、白色光源よりも演色性が低い緑色光源のみが点灯される。よって、植物の花芽形成への影響が問題になる時期に、緑色光源から緑色光のみが照射された道路や公園では、路上や公園内に何が存在するのか人に認識され難く、安全性や防犯性に問題があった。
【００３１】
これに対して、実施形態１に係る照明装置１では、１日のうちで照明が必要とされる時間帯に、第１の光の放射を停止させた状態で第２の光を放射させ、照明が必要とされる時間帯のうちで照明の必要性が低い時間帯に、第１の光のみを放射させることができる。
【００３２】
よって、従来の照明器具に比べて、実施形態１に係る照明装置１では、人が第１の光のみが放射された状況に遭遇し難い。したがって、実施形態１に係る照明装置１では、演色性の低下の影響を低減しつつ植物に対する光害の発生を低減できる。
【００３３】
ここで、実施形態１に係る照明装置１は、例えば図３Ａに示すように公園の植物の傍に設置された照明器具、いわゆるガーデンライトとして構成されることが好ましい。
【００３４】
ガーデンライト５１は、地面から上方（図３Ａの上方）に向けて延びる円柱状の装置本体５２を有する。
【００３５】
装置本体５２の内部には、制御部４１が内蔵されている。装置本体５２の上端面（図３Ａの上面）には、第１の光源部２０と第２の光源部３０とが取り付けられており、各光源部２０，３０を覆うようにしてグローブ５３が取り付けられている。グローブ５３は、中空の略球形状に形成されている。
【００３６】
なお、実施形態１に係る照明装置１では、装置本体５２の径方向中心の位置に第２の光源部３０が取り付けられ、第２の光源部３０に対して、装置本体５２の径方向外側にずれた位置に第１の光源部２０が取り付けられていることが好ましい。ここで、一般には、第１の光に比べて第２の光の方が照明光として用いられる頻度が高い。よって、第１の光源部２０に対して第２の光源部３０が装置本体５２の径方向外側にずれた位置に取り付けられた照明装置に比べて、実施形態１に係る照明装置１の方が、第２の光を効率良く放射させることができる。
【００３７】
また、実施形態１に係る照明装置１は、例えば図３Ｂに示す屋外用スポットライトとして構成されてもよい。
【００３８】
図３Ｂに示すように、屋外用スポットライト５５は、円柱状の装置本体５６と、装置本体５６の両側端を回転可能に支持するアーム５７とを有する。装置本体５６には、制御部４１が内蔵されている。装置本体５６の前端（図３Ｂの左端）には、第１の光源部２０と、第２の光源部３０とが取り付けられている。また、装置本体５６の前端には、各光源部２０，３０を取り囲むようにして反射板５８が取り付けられている。
【００３９】
また、実施形態１に係る照明装置１として、図３Ａ、図３Ｂに示すように第１の光源部２０と第２の光源部３０とをそれぞれ１個ずつ有するガーデンライト５１や屋外用スポットライト５５を例示したが、これに限定されない。例えば図３Ｃに示す１個の第１の光源部２０と複数個の第２の光源部３０とを有するモールライトでもよい。
【００４０】
図３Ｃに示すように、モールライト６１は、地面から上方（図３Ｃの上方）に延びる円柱状のポール６２と、ポール６２の上部に支持されポール６２の径方向外側に延びる円盤状の装置本体６３とを有する。装置本体６３の内部には、制御部４１が内蔵されている。また、装置本体６３の下面には、第２の光源部３０が３個取り付けられており、第２の光源部３０よりも装置本体６３の径方向外側の位置に、１個の第１の光源部２０が取り付けられている。また、装置本体６３の下面の内縁には、各光源部２０，３０を覆うようにグローブ６４が取り付けられている。なお、１個の第１の光源部２０と３個の第２の光源部３０とが取り付けられたモールライト６１の構成を例示したが、これに限定されず、設計や仕様に応じて、取り付けられる第１の光源部２０や第２の光源部３０の個数は任意に変更してもよい。
【００４１】
実施形態１に係る照明装置１として、図３Ａ〜図３Ｃにそれぞれ示すように、第１の光源部２０と第２の光源部３０との両方が装置本体の同一面上に取り付けられた照明装置の構成を例示したが、これに限定されない。例えば図４Ａに示す実施形態１に係る変形例３のように、第１の光源部２０と第２の光源部３０とが装置本体の異なる面に取り付けられたガーデンライト７１でもよい。なお、本変形例３のガーデンライト７１は、基本的な構成が実施形態１に係るガーデンライト５１と共通であるので、共通の構成要素には、同一の符号を付して説明を省略する。
【００４２】
図４Ａに示すように、ガーデンライト７１は、装置本体５２を有する。装置本体５２の上端面（図４Ａの上面）には、第２の光源部３０が取り付けられており、装置本体５２の周面には、第１の光源部２０が取り付けられている。
【００４３】
実施形態１に係る照明装置１の変形例３として、第１の光源部２０と第２の光源部３０とが同一の部材としての装置本体５２に取り付けられたガーデンライト７１を例示したが、これに限定されない。例えば図４Ｂに示す実施形態１に係る変形例４のように、第１の光源部２０と第２の光源部３０とが別々の部材に取り付けられた屋外用スポットライト７５でもよい。
【００４４】
なお、本変形例４の屋外用スポットライト７５は、基本的な構成が本変形例１の屋外用スポットライト５５と共通であるので、共通の構成要素には、同一の符号を付して説明を省略する。
【００４５】
図４Ｂに示すように、屋外用スポットライト７５は、装置本体５６を有し、装置本体５６の前端（図４Ｂの左端）には、第２の光源部３０が取り付けられている。装置本体５６の前端には、第２の光源部３０を取り囲むようにして反射板５８が取り付けられており、反射板５８の周面の上端（図４Ｂの上端）には、補助ライト７６が支持されている。補助ライト７６には、第１の光源部２０が取り付けられている。
【００４６】
上述のように実施形態１に係る照明装置１は、植物に対する光害が発生し難い波長域の第１の光を放射する第１の光源部２０を備える。また、照明装置１は、第１の光の波長域よりも広範囲の波長域の光を含む第２の光を放射する第２の光源部３０と、第１の光及び第２の光の放射と放射の停止とを制御する制御部４１とを備える。制御部４１は、１日のうちで照明が必要とされる時間帯としての第２の時間帯ｔ１〜ｔ４に第２の光を放射させ、第２の時間帯ｔ１〜ｔ４のうちで照明の必要性が低い時間帯としての第１の時間帯ｔ２〜ｔ３に第１の光を放射させて第２の光の放射を停止させる。
【００４７】
実施形態１に係る照明装置１は上述のように構成されるので、１日のうちで照明が必要とされる時間帯に、第１の光の放射を停止させた状態で第２の光を放射させることができる。また、照明装置１は、照明が必要とされる時間帯のうちで照明の必要性が低い時間帯に、第１の光のみを放射させることができる。よって、照明装置１は、従来の照明器具に比べて、人が第１の光のみが放射された状況に遭遇し難く、演色性の低下の影響を低減しつつ植物に対する光害の発生を低減できる。
【００４８】
また、実施形態１に係る照明装置１において、第１の光源部２０は、第２の光源部３０に比べて光量が少なくなるように構成されかつ第２の光源部３０の周りに配置されることが好ましい。
【００４９】
実施形態１に係る照明装置１が上述のように構成されれば、第１の光源部２０に対して、第２の光源部３０が、装置本体５２の径方向外側にずれた位置に取り付けられた照明装置に比べて、第２の光を効率良く放射させることができる。
（実施形態２）
本発明の実施形態２に係る照明装置（以下、実施形態２に係る照明装置１という）は、基本的な構成が実施形態１に係る照明装置１と共通であるので、共通の構成要素には、同一の符号を付して説明を省略する。
【００５０】
実施形態２に係る照明装置１の制御部４１は、実施形態１に係る照明装置１の制御部４１に対して、所定の検知範囲内で人の存在を検知する人感センサ１００が追加されている。
【００５１】
ここで、第１の時間帯ｔ２〜ｔ３にも、照明装置１の傍を人が通行する可能性がある。そこで、第１の時間帯ｔ２〜ｔ３に人が通行する場合に、照明装置１から放射される光が、第１の光から第２の光に切り替えられることが好ましい。
【００５２】
人感センサ１００は、人の存在を検知した場合に、検知信号を出力する。人感センサ１００は、人の存在を検知しなくなった場合に、検知信号の出力を停止する。なお、人感センサ１００は、例えば人体から放射される赤外線を焦電素子で検知することにより、検知領域における人の存在を検知する。焦電素子を用いた人感センサ１００は、従来周知であり、詳細な構成の図示及び説明は省略する。あるいは、人感センサ１００は、電波や超音波を利用したアクティブ形のセンサでもよい。制御回路４７は、第１の時間帯ｔ２〜ｔ３に人の存在を検知する検知動作を人感センサ１００に行わせ、第１の時間帯ｔ２〜ｔ３以外の時間帯に人感センサ１００による検知動作を停止させることが好ましい。
【００５３】
また、実施形態２に係る照明装置１の制御回路４７は、実施形態１に係る照明装置１の制御回路４７の制御に追加して、人感センサ１００から出力された信号に応じて、各コンバータ回路４３，４４の駆動及び駆動の停止を制御する。
【００５４】
次に、図６を参照して実施形態２に係る照明装置１の動作を説明する。
【００５５】
実施形態２に係る照明装置１の制御回路４７は、図６に示すように、第１の時間帯ｔ２〜ｔ３に、人感センサ１００が出力した検知信号を取得した信号検知時刻ｔ５に、第１のコンバータ回路４３の駆動を停止する。駆動を停止された第１のコンバータ回路４３が、第１の光源部２０への電力の供給を停止し、電力の供給が停止された第１の光源部２０が消灯して、第１の光の放射を停止する。また、制御回路４７は、信号検知時刻ｔ５に、第２のコンバータ回路４４を駆動する。駆動された第２のコンバータ回路４４が、第２の光源部３０に電力を供給し、電力が供給された第２の光源部３０が点灯して、第２の光を放射する。制御回路４７は、第１の時間帯ｔ２〜ｔ３に、検知信号を取得しなくなった検知終了時刻ｔ６に、第１のコンバータ回路４３を駆動する。駆動された第１のコンバータ回路４３が、第１の光源部２０に電力を供給し、電力を供給された第１の光源部２０が点灯して、第１の光を放射する。また、制御回路４７は、検知終了時刻ｔ６に、第２のコンバータ回路４４の駆動を停止する。駆動を停止された第２のコンバータ回路４４が、第２の光源部３０への電力の供給を停止し、電力の供給が停止された第２の光源部３０が消灯して、第２の光の放射を停止する。
【００５６】
したがって、実施形態２に係る照明装置１では、第１の時間帯ｔ２〜ｔ３に人が存在する場合に、第１の光の放射を停止させて第２の光を放射させることができる。よって、実施形態２に係る照明装置１は、実施形態１に係る照明装置１に比べて、より利便性を向上することができる。
【００５７】
上述のように実施形態２に係る照明装置１は、検知範囲において人の存在を検知する人感センサ１００を備えることが好ましい。制御部４１は、第１の時間帯ｔ２〜ｔ３に人感センサ１００が人の存在を検知した場合に、第１の光の放射を停止させると共に第２の光を放射させることが好ましい。また、制御部４１は、第１の時間帯ｔ２〜ｔ３に人感センサ１００が人の存在を検知した後に、人感センサ１００が人の存在を検知しなくなった場合に、第１の光を放射させて第２の光の放射を停止させることが好ましい。
【００５８】
実施形態２に係る照明装置１が上述のように構成されれば、１日のうちで照明が必要とされる時間帯のうちで照明の必要性が低い時間帯に人が存在する場合に、第１の光の放射を停止させて、第２の光を放射させることができる。よって、実施形態２に係る照明装置１は、実施形態１に係る照明装置１に比べて、より利便性を向上することができる。
（実施形態３）
本発明の実施形態３に係る照明装置（以下、実施形態３に係る照明装置１という）は、基本的な構成が実施形態１に係る照明装置１と共通であるので、共通の構成要素には、同一の符号を付して説明を省略する。
【００５９】
実施形態３に係る照明装置１の第２の光源部３０は、昼白色の発光ダイオードに代えて、第１の発光素子３２１と赤色発光素子３３２と青色発光素子３３３とで構成されている。そして、実施形態３に係る照明装置１は、第１の光源部２０及び第２の光源部３０で第１の発光素子３２１を共用している。
【００６０】
実施形態３に係る照明装置１は、図７に示すように第１の光源部２０を有し、第１の光源部２０は、第１の光を発光する第１の発光素子３２１を有する。第１の発光素子３２１は、例えば波長域５００〜５５０ｎｍの範囲でピークを有する発光スペクトル光を発光する発光ダイオードにより構成されている。
【００６１】
一方、第２の光源部３０は、第１の発光素子３２１と、第１の光と混色された場合に第２の光になる第３の光を発光する第２の発光素子３３１とを有する。第２の発光素子３３１は、赤色発光素子３３２と青色発光素子３３３とで構成されている。赤色発光素子３３２は、例えば波長域５５０〜８００ｎｍの範囲にピークを有する発光スペクトルの光を発光する発光ダイオードにより構成されている。青色発光素子３３３は、例えば波長域３００〜５００ｎｍの範囲にピークを有する発光スペクトルの光を発光する発光ダイオードにより構成されている。
【００６２】
なお、実施形態３に係る照明装置１では、赤色発光素子３３２と青色発光素子３３３との２種類で構成された第２の発光素子３３１を例示したが、これに限定されない。例えば波長域５５０〜８００ｎｍの範囲と波長域３００〜５００ｎｍの範囲との各範囲にピークを有する発光スペクトルの光を発光する発光ダイオードで構成された１種類の発光素子を、第２の発光素子として用いてもよい。また、波長域５５０〜８００ｎｍの範囲と波長域３００〜５００ｎｍの範囲との各範囲にピークを有する発光スペクトルの光を発光する２種類以上の発光ダイオードを、第２の発光素子として用いてもよい。
【００６３】
ここで、第２の光源部３０が放射する第２の光は、第１の発光素子３２１から発光された第１の光と、第２の発光素子３３１から発光された第３の光とが混色された光により構成されている。したがって、実施形態３に係る照明装置１では、第２の光を放射する場合に、制御回路４７は、第１のコンバータ回路４３と第２のコンバータ回路４４との両方を駆動する。
【００６４】
また、タイムスケジュールとして、制御回路４７は、第２の時間帯ｔ１〜ｔ４に、第１のコンバータ回路４３を駆動し、第２の時間帯ｔ１〜ｔ４以外の時間帯に第１のコンバータ回路４３の駆動を停止する。また、タイムスケジュールとして、制御回路４７は、第３の時間帯ｔ１〜ｔ２，ｔ３〜ｔ４に、第２のコンバータ回路４４を駆動する。また、タイムスケジュールとして、制御回路４７は、第３の時間帯ｔ１〜ｔ２，ｔ３〜ｔ４以外の時間帯に、第２のコンバータ回路４４の駆動を停止する。
【００６５】
次に、図８を参照にして実施形態３に係る照明装置の動作を説明する。
【００６６】
制御回路４７は、タイマ４６から取得した現在時刻と、タイムスケジュールとして登録された各時刻ｔ１〜ｔ４とが一致すると、タイムスケジュールに従って、各コンバータ回路４３，４４の駆動及び駆動を停止する。
【００６７】
制御回路４７は、図８に示すように現在時刻と第２の時間帯ｔ１〜ｔ４の開始時刻ｔ１とが一致した場合に、第１のコンバータ回路４３と第２のコンバータ回路４４との両方を駆動する。駆動された第１のコンバータ回路４３と第２のコンバータ回路４４とが、第１の発光素子３２１と第２の発光素子３３１とに電力を供給し、電力を供給された第１の発光素子３２１と第２の発光素子３３１とが発光する。したがって、第１の発光素子３２１から発光された第１の光と、第２の発光素子３３１から発光された第３の光とが混色されて、第２の光が放射される。
【００６８】
また、制御回路４７は、現在時刻と第１の時間帯ｔ２〜ｔ３の開始時刻ｔ２とが一致した場合に、第２のコンバータ回路４４の駆動を停止する。駆動を停止された第２のコンバータ回路４４が、第２の発光素子３３１への電力の供給を停止し、電力の供給が停止された第２の発光素子３３１が、第３の光の発光を停止する。したがって、第１の発光素子３２１から第１の光が発光された状態で、第２の発光素子３３１の第２の光の発光が停止する。よって、第１の光源部２０から第１の光が放射される。
【００６９】
また、制御回路４７は、現在時刻と第１の時間帯ｔ２〜ｔ３の終了時刻ｔ３とが一致した場合に、第２のコンバータ回路４４を駆動する。駆動された第２のコンバータ回路４４が、第２の発光素子３３１に電力を供給し、電力を供給された第２の発光素子３３１が第３の光を発光する。したがって、第１の発光素子３２１から発光された第１の光と、第２の発光素子３３１から発光された第３の光とが混色されて、第２の光が放射される。
【００７０】
制御回路４７は、現在時刻と第２の時間帯ｔ１〜ｔ４の終了時刻ｔ４とが一致した場合に、第１のコンバータ回路４３と第２のコンバータ回路４４との両方の駆動を停止する。駆動を停止された第１のコンバータ回路４３及び第２のコンバータ回路４４が、第１の発光素子３２１及び第２の発光素子３３１への電力の供給を停止する。電力の供給を停止された第１の発光素子３２１と第２の発光素子３３１とが、第１の光と第３の光との両方の発光を停止して、第２の光の放射が停止される。
【００７１】
よって、実施形態３に係る照明装置１では、第１の光源部２０による第１の光の放射及び第２の光源部３０による第２の光の放射の両方で、第１の発光素子３２１が共通して用いられる。したがって、第１の光源部２０と第２の光源部３０との各光源部に第１の発光素子が個別に用いられた照明装置に比べて、実施形態３に係る照明装置１では、用いられる第１の発光素子の個数を低減することができる。よって、低減した第１の発光素子の個数分のコストを低減することができる。
【００７２】
実施形態３に係る照明装置１は、例えば図９Ａに示すように、ガーデンライトの構成でもよい。なお、実施形態３に係るガーデンライトは、基本的な構成が実施形態１に係るガーデンライト５１と共通であるので、共通の構成要素には、同一の符号を付して説明を省略する。図９Ａに示すように、ガーデンライト５０１は、装置本体５２を有し、装置本体５２の上端には、第１の発光素子３２１、第２の発光素子３３１を構成する赤色発光素子３３２及び青色発光素子３３３が取り付けられている。
【００７３】
また、実施形態３に係る照明装置１として、図９Ａに示すように、第１の発光素子３２１、赤色発光素子３３２及び青色発光素子３３３がそれぞれ１個ずつ取り付けられたガーデンライト５０１を例示したが、これに限定されない。例えば図９Ｂに示す第１の発光素子３２１や、第２の発光素子３３１、赤色発光素子３３２を収容したパッケージを複数有する屋外用スポットライトでもよい。なお、本変形例の屋外用スポットライトは、基本的な構成が屋外用スポットライト５５と共通であるので、共通の構成要素には、同一の符号を付して説明を省略する。
【００７４】
図９Ｂに示すように、屋外用スポットライト５０５は、円柱状の装置本体５６を有し、装置本体５６の前端（図９Ｂの右端）には、１個のパッケージ５０６が取り付けられている。
【００７５】
図９Ｂに示すように１個のパッケージ５０６が取り付けられた屋外用スポットライト５０５を例示したが、これに限定されず、設計や仕様に応じて、取り付けられるパッケージ５０６の個数は任意に変更してもよい。具体的には、図９Ｃに示す複数個のパッケージが取り付けられたモールライトでもよい。なお、本変形例のモールライトは、基本的な構成がモールライト６１と共通であるので、共通の構成要素には、同一の符号を付して説明を省略する。
【００７６】
図９Ｃに示すように、モールライト６０１は、装置本体６３を有し、装置本体６３の下面（図９Ｃの下面）には、パッケージ５０６が複数（例えば４個）取り付けられている。
【００７７】
上述のように実施形態３に係る照明装置１では、第１の光源部２０は、第１の光を発光する第１の発光素子３２１を有することが好ましい。第２の光源部３０は、第１の発光素子３２１と、第１の光と混色された場合に第２の光になる第３の光を発光する１種類又は複数種類の第２の発光素子３３１とを有することが好ましい。
【００７８】
実施形態３に係る照明装置１が上述のように構成されれば、第１の光源部２０による第１の光の放射及び第２の光源部３０による第２の光の放射の両方で、第１の発光素子３２１が共通して用いられる。よって、照明装置１は、第１の光源部と第２の光源部との各光源部に第１の発光素子が個別に用いられた照明装置に比べて、用いられる第１の発光素子の個数を低減することができ、低減した第１の発光素子の個数分のコストを低減することができる。
【符号の説明】
【００７９】
１  照明装置
２０  第１の光源部
３０  第２の光源部
４１  制御部
１００  人感センサ
３２１  第１の発光素子
３３１  第２の発光素子
ｔ１〜ｔ４  第２の時間帯
ｔ２〜ｔ３  第１の時間帯
【図１】
2017091691.tif 000003
【図２】
2017091691.tif 000004
【図３】
2017091691.tif 000005
【図４】
2017091691.tif 000006
【図５】
2017091691.tif 000007
【図６】
2017091691.tif 000008
【図７】
2017091691.tif 000009
【図８】
2017091691.tif 000010
【図９】
2017091691.tif 000011